(57)【要約】マッサージ機能付きの長椅子である。長椅子（１０）の着座部（３０）にマッサージ装置が内蔵されている。マッサージ装置は、着座部の長手方向に延在し、利用者が着座部の長手方向に沿って寝た状態で、上半身を支える上半身支持部（５０）と、脚を支える脚支持部（６０）とを有する。上半身支持部は、着座部の長手方向概略中央部に位置する支点（Ａ）を中心として、水平姿勢と、外端部側が上昇した傾斜姿勢との間で、選択的に傾動するように構成されるとともに、利用者の上半身をマッサージする電動式マッサージ機構（５４）を具備している。
2004032819.tif 000002
【特許請求の範囲】
【請求項１】
長椅子の着座部にマッサージ装置が内蔵され、
該マッサージ装置は、前記着座部の長手方向に延在し、利用者が前記着座部の長手方向に沿って寝た状態で、上半身を支える上半身支持部と、脚を支える脚支持部とを有し、
前記上半身支持部は、前記着座部の長手方向概略中央部に位置する支点を中心として、水平姿勢と、外端部側が上昇した傾斜姿勢との間で、選択的に傾動するように構成されるとともに、利用者の上半身をマッサージする電動式マッサージ機構を具備しているマッサージ機能付き長椅子。
【請求項２】
前記脚支持部は、前記上半身支持部の傾動と連動し、前記上半身支持部の水平姿勢と整合する水平姿勢と、前記上半身支持部の傾斜姿勢に対応して前記脚支持部の長手方向概略中央部が高くなった傾斜形状姿勢との間で傾動するように構成されている請求項１に記載されたマッサージ機能付き長椅子。
【請求項３】
前記上半身支持部は、前記脚支持部に隣接する側の端部および長椅子の基枠に対して両端部の各々が傾動自在に連結された電動式駆動装置の伸縮によって、前記基枠に設けた前記支点を中心として、水平姿勢と、外端部側が上昇した傾斜姿勢との間で、傾動するように構成されている請求項１に記載されたマッサージ機能付き長椅子。
【請求項４】
前記上半身支持部の前記脚支持部に隣接する側の端部と、前記脚支持部の前記上半身支持部の前記脚支持部に隣接する側の端部とが、リンク部材で互いに連結され、前記上半身支持部を駆動することにより、前記脚支持部が連動して、水平姿勢と傾斜姿勢との間で動くように構成されている請求項１から請求項３までのいずれか１項に記載されたマッサージ機能付き長椅子。
【発明の詳細な説明】
【技術分野】  本発明は、マッサージ機能付き長椅子に関するものである。
【背景技術】  人体の背中をマッサージするための自動マッサージ機としては、（１）椅子の背もたれ部にマッサージ機構を内蔵させたもの、（２）椅子の背もたれ部にマッサージ機構を内蔵させるとともに、リクライニング機構により、背もたれ部が後方に傾斜し、脚支持部が持ち上がるようになったもの、および（３）水平ベッド形態のマットレス部分にマッサージ機構を内蔵させたものがある。
これら従来の自動マッサージ機はサイズが大きく、大きな設置用床面積を必要とするため、とりわけ狭隘な住宅の居間に、通常の長椅子または肘付き椅子と共に自動マッサージ機を配置すると、余裕空間が不足することになるだろう。
【発明の開示】
かくして、本発明の目的は、住宅の居間が狭隘であっても利用し易い人体の背中をマッサージするための自動マッサージ機を提供することである。
前記目的は、長椅子の着座部にマッサージ装置が内蔵され、該マッサージ装置が、着座部の長手方向に延在し、利用者が前記着座部の長手方向に沿って寝た状態で、上半身を支える上半身支持部と、脚を支える脚支持部とを有し、上半身支持部は、着座部の長手方向概略中央部に位置する支点を中心として、水平姿勢と、外端部側が上昇した傾斜姿勢との間で、選択的に傾動するように構成されるとともに、利用者の上半身をマッサージする電動式マッサージ機構を具備しているマッサージ機能付き長椅子を提供することによって達成される。
前記長椅子の好適形態は、以下のとおりである。
（１）脚支持部が、上半身支持部の傾動と連動し、上半身支持部の水平姿勢と整合する水平姿勢と、上半身支持部の傾斜姿勢に対応して脚支持部の長手方向概略中央部が高くなった傾斜形状姿勢との間で傾動するように構成された長椅子。
（２）上半身支持部が、脚支持部に隣接する側の端部および長椅子の基枠に対して両端部の各々が傾動自在に連結された駆動装置の伸縮によって、基枠に設けた前記支点を中心として、水平姿勢と、外端部側が上昇した傾斜姿勢との間で、傾動するように構成された長椅子。この駆動装置としては、利用可能な汎用装置が存在する。その好適例が、特開平７−２８４５１３号公報に開示されている。開示された装置は、出没可能に遊嵌状態で嵌合する内外管と、外管に対して相対的に内管を動かすためのモータとを具備する。内管の駆動は、内管に外嵌されたウォームホイールの回転によって行なわれる。内管の外周には雄ねじが形成され、この雄ねじに噛合する雌ねじをウォームホイールが有する。また、外管にギヤケースおよびモータが一体的に取着され、モータの回転軸（回転軸の軸線は、内外管の軸線に対して直角である）に取着されたウォームギヤがウォームホイールの外周に形成された歯に噛合している。かかる構成で、モータの回転軸が順逆回転すると、ウォームギヤとウォームホイールとの噛合関係でウォームホイールが回転し、ウォームホイールと内管との噛合関係で内管が軸線方向に動き、内管が外管から延び出し、また、内管が外管内に戻る。
（３）上半身支持部の脚支持部に隣接する側の端部と、脚支持部の上半身支持部の脚支持部に隣接する側の端部とが、リンク部材で互いに連結され、上半身支持部を駆動することにより、脚支持部が連動して、水平姿勢と傾斜姿勢との間で動くように構成された長椅子。
本発明の長椅子は、本来の使用形態である少なくとも２人がけのできる椅子と、マッサージ装置とに使い分け可能である。したがって、狭隘な住宅の居間であっても、本発明の長椅子を余裕空間を確保しながら設置し、これをマッサージ装置として使用することにより、長椅子とマッサージ機とを併置する場合に比して、経費節減と、省スペースとを実現できる。
本発明の長椅子をマッサージ機として使用する場合には、マッサージ装置を内蔵する着座部の長手方向長さの半分を背もたれとして使用し、残る半分を足載せ部として使用する。着座部の背もたれ部分である上半身支持部は、着座部の長手方向概略中央部に位置する支点を中心として、水平姿勢から、外端部側が上昇した傾斜姿勢に動かし、また、その逆向きに動かすこともできる。上半身支持部に利用者の上半身をマッサージする電動式マッサージ機構が内蔵されており、利用者は、上半身支持部に背中をあてがい、公知の電動式マッサージ機構を作動させて、脊柱近傍のマッサージを行なうことができる。電動式マッサージ機構の好適例は、マッサージ具が脊柱に沿って上下動する形式のものである。
本発明の好適形態としての前記項目３の構成によれば、上半身支持部の脚支持部に隣接する側の端部と、脚支持部の上半身支持部の脚支持部に隣接する側の端部とが、リンク部材で互いに連結され、上半身支持部を駆動することにより、脚支持部が連動して、水平姿勢と傾斜姿勢との間で動くようになっているため、上半身支持部を傾斜姿勢に動かすと、脚支持部が、その長手方向概略中央部が高くなった傾斜形状姿勢になり、利用者は、屈曲したその形状に沿って脚部を載せる。この状態で、上半身支持部側に位置する脚支持部半体によって利用者の臀部が支えられ、電動式マッサージ機構を作動させた時に利用者に作用する力に対して、利用者の身体が位置ずれすることなく定位置に保たれる。
また、本発明の長椅子では、椅子として使用する通常状態で、上半身支持部に座面となるクッション部材を置いておき、マッサージ装置を使用する時に、クッション部材を取り除けて、使用することになる。
以下、図面を参照しながら、本発明の具体例について説明する。
【図面の簡単な説明】  図１は、本発明の原理を説明するための長椅子の模式的斜視図である。
図２は、図１に示した長椅子の異なる状態を示す模式的斜視図である。
図３は、本発明の一具体例としての長椅子の正面図であり、着座部が水平状態になっている。
図４は、図３に示した長椅子の平面図である。
図５は、図３におけるＶ−Ｖ線矢視図である。
図６は、図３に対応する本発明の一具体例としての長椅子の正面図であり、着座部が傾斜状態になっており、マッサージ装置を使用可能である。
図７は、図６に示した長椅子を図６における右側から見た図である。
【発明を実施するための最良の形態】発明原理の説明
具体例を説明する前に、先ず、図１、図２を見ながら本発明の原理について説明する。
長椅子１０は、基枠１１〜１９を強度部材として構成され、着座部３０と、背もたれ部４０とを有する。着座部３０は、マッサージ装置を内蔵しており、上半身支持部５０と、脚支持部６０の板状体６１、６２とを有する。
上半身支持部５０は、比較的厚さの大きな部材であり、その上面側に長手方向に沿う凹所５２を有し、凹所５２内に公知のマッサージ具５４が配設されている。また、上半身支持部５０は、その内側端部５１（脚支持部６０の板状体６１に近い側の端部）に近い位置にある支点Ａ、Ａで、回転自在に長手方向の基枠１７、２０に支持されるとともに、内側端部５１と、基枠１７、２０に対して横断方向に延在する基枠１８との間に介装された駆動装置７０を介して基枠１８に支持されている。
脚支持部６０の板状体６１、６２は、それぞれ、十分な大きな機械的強度を有する矩形板状体であって、上半身支持部５０に隣接する板状体６１が、支点Ｂ、Ｂで回転自在に基枠１７に支持されている。板状体６２は、位置Ｄ、Ｄで傾動自在に板状体６１に連結されるとともに、支点Ｃ、Ｃで傾動自在かつ着座部の長手方向に変位可能に基枠に支持されている。
なお、図示していないが、上半身支持部５０は、十分大きな引張り強度を有する布製表皮で凹所５２をも覆って包み込まれ、マッサージ装置を使用しない状態では、クッション部材Ｑ１が上半身支持部５０の上に取り除き自在に載置される。同じく図示していないが、脚支持部６０の板状体６１、６２は、比較的厚さの大きな板状体であり、十分な引張り強度を有する布製表皮で包み込まれ、また、クッション部材Ｑ２が板状体６２の上に載置される。なお、図３において、Ｑ３は、クッション部材Ｑ１上に単に載置された肘置きクッションである。
駆動装置７０は、前記項目２で説明した特開平７−２８４５１３号公報に開示された形式のものであり、モータ７１を含み、ウォームホイールとウォームギヤの噛合関係で、互いに嵌合する内外管が伸縮する。すなわち、内管が外管に対して外部に延び出すと、上半身支持部５０の内側端部５１が押されて、支点Ａ、Ａの周囲で上半身支持部５０が回転して傾斜姿勢で立ち上がる。内管が外管内に進入すると、上半身支持部５０の内側端部５１が引っ張られて、支点Ａ、Ａの周囲で上半身支持部５０が回転して水平姿勢に戻る。
一方、上半身支持部５０の内側端部５１と、脚支持部６０の板状体６１の端部とが一対のリンク８０で連結されている。そのため、モータ７１の作動によって上半身支持部５０が支点Ａ、Ａの周囲で回転すると、脚支持部６０の板状体６１、６２が、両者の中央部で高くなった傾斜姿勢と、水平姿勢との間で動くことになる。このようにして、上半身支持部５０と脚支持部６０の板状体６１、６２が傾斜姿勢になった状態が図２に示されている。
さらに、図１および図２を見比べると、図２では、背もたれ部４０の姿勢が変化している。通常の場合に、図１に示す状態にある背もたれ部４０を、基枠２１と、背もたれ部４０との間に設けたヒンジ４４を利用して持ち上げ、角度９０度だけ回転させると、背もたれ部４０が、上半身支持部５０と脚支持部６０の板状体６１、６２の傾動を妨害しない図２に示した退避姿勢になる。この退避姿勢になった背もたれ部４０の内側面にマッサージ装置の操作盤４１が付されている。
図２の状態で、マッサージ装置を起動することにより、図示されないモータによってねじ棒５３を回転させることができ、それによってマッサージ具５４が上下動する。マッサージ具５４は、一対の円盤状作動子５５のマッサージ運動をさせるためのモータ５６と一体のユニットとして構成された汎用品である。
長椅子の具体例
図３〜図７に示される長椅子１０の基本構成は、図１、図２に示される長椅子１０と同じであり、同等の構成部材には、同一符号を付している。また、反復説明を避けるために、図３〜図７に示される長椅子１０については、図１、図２に示される長椅子で説明されていない構造上の細目について説明する。また、必要に応じて図１、図２をも引用して説明を行なう。
（１）基枠
基枠は、４つの脚座２２を備える長椅子１０の不動の強度部材である。可動体の枠部材は、補強枠と称することにする。基枠は、図１、図２に示された下部基枠１１、１２、１３、１４、長手方向基枠１５、１５、１６（一方の基枠１６は図示されていない）、１９、１９、および、上部基枠１７、２０、２１から成る。長椅子の長手方向に延在する上部基枠１７、２０からそれぞれ垂下する部材（１８ａのみが図示されており、上部基枠２０から垂下する部材は図示されていない）を、横断基枠１８が連結している。この横断基枠１８に、駆動装置７０の一端が傾動自在に連結され、他端が、上半身支持部５０の内側端部５１に付された突片５１ａに傾動自在に連結されている。駆動装置７０は、先に説明したとおり、モータ７１と、外管７２と、外管７２内に出没可能に嵌入している内管７３とを含み、内管７３の外端部が横断基枠１８に連結され、外管７２の外端部が上半身支持部５０の内側端部５１に付された突片５１ａに連結されている。
（２）背もたれ（４０）
背もたれ４０は、その長手方向に沿う背もたれ補強枠４２を有し、背もたれ補強枠４２から伸長する４つの分岐片４３が、それぞれヒンジ４４を介して上部基枠２１（図２）に連結されている。このヒンジ４４を介した連結関係により、背もたれ４０は、図１、図２、図３、図５、図６に示されるように、背もたれ４０の本来の機能として使用される水平姿勢（図１、図３、図５）と、マッサージ装置として使用する際の退避姿勢（図２、図６）との間で角度９０度だけ回転させることができる。背もたれ４０を、図５に示される水平姿勢から、上方に持ち上げた起立姿勢（または、退避姿勢）（図５における仮想線参照）にした場合、分岐片４３の先端部４３ａがヒンジ４４の位置よりも外方に伸長しているため、この先端部４３ａが基枠１９側の外表面（ヒンジ４４部分）に当接するストッパー部材として働き、背もたれ４０の安定した退避姿勢を維持できる（図２、図７参照）。
（３）上半身支持部（５０）
上半身支持部５０は、上半身支持補強枠５０Ａ〜５０Ｆを有する（図３、図４、図６参照）。上半身支持補強枠５０Ａ〜５０Ｄは、全体として矩形をなし、外枠が、長手方向に延在する補強枠５０Ａ、５０Ｂ、および横断方向に延在する補強枠５０Ｃ、５０Ｄから成る。補強枠５０Ｅ、５０Ｆは内枠であり、補強枠５０Ａ、５０Ｂに近い位置で、これらと平行に延在し、横断方向補強枠５０Ｃ、５０Ｄを互いに連結する形態に構成されている。上半身支持部５０の胴部材は、上半身支持補強枠５０Ａ〜５０Ｆによって支持される。
一方、長手方向に延在する上部基枠１７、２０の中央に近い位置で、それら基枠の上面に突片１７ａ、２０ａが付設され、これら突片１７ａ、２０ａの軸受穴に上半身支持補強枠５０Ａ、５０Ｂの下面に付設された軸付き突片の軸が、それぞれ受承され、上半身支持部５０の回転支点Ａになっている。
また、上半身支持部５０は、その内側端部５１に突片５１ａが付設され（図３参照）、この突片５１ａに、駆動装置７０の外管７２の端部が回転自在に連結されている。この連結関係で、上半身支持部５０の内側端部５１が、駆動装置７０の外管７２によって押されると、突片５１ａと外管７２の連結点が、上半身支持部５０の回転支点Ａから離れているため、これら両点間の距離が、回転モーメントの腕長さとして上半身支持部５０が支点Ａの周囲で回転し、傾斜姿勢で立ち上がる。すなわち、駆動装置７０の外管７２と内管７３の嵌合関係で、両管が伸縮すると、上半身支持部５０が支点Ａの周囲で回転し、水平姿勢と、傾斜姿勢との間で傾動する。
上半身支持部５０の内側端部５１には、突片５１ａの他に、一対の突片５１ｂも付設されている（図３参照）。これら突片５１ｂに、リンク８０ａ、８０ａの各端部が回転自在に連結されている。
（４）脚支持部（６０）
脚支持部６０は、板状体６１、６２の各々について、補強枠を有する（図３、図４、図６参照）。
板状体６１の胴部材は、脚支持部補強枠６１Ａ〜６１Ｈで補強されている。外枠である脚支持部補強枠６１Ａ、６１Ｂ、６１Ｃは、全体としてＵ字形をなし、長手方向に延在する補強枠６１Ａ、６１Ｂ、および横断方向に延在する補強枠６１Ｃから成る。補強枠６１Ｃからは、補強枠６１Ｄ、６１Ｅが長手方向に伸長し、さらに補強枠６１Ｄ、６１Ｅの先端部が横断方向の補強枠６１Ｆで連結されている。また、補強枠６１Ａ、６１Ｄが横断方向補強枠６１Ｇで連結されている。さらに、補強枠６１Ｂ、６１Ｅが補強枠６１Ｈで連結されている。
板状体６２の胴部材は、脚支持部補強枠６２Ａ〜６２Ｆで補強されている。これらは全体として矩形をなし、長手方向に延在する補強枠６２Ａ、６２Ｂ、および横断方向に延在する補強枠６２Ｃ、６２Ｄから成る。補強枠６２Ｅ、６２Ｆは、補強枠６２Ａ、６２Ｂに近い位置で、補強枠６２Ｃと補強枠６２Ｄを連結する部材である。
板状体６１の脚支持部補強枠６１Ｃと、板状体６２の脚支持部補強枠６２Ｃとは、小間隔を置いて隔てられ、両者が、一対のヒンジ６３（これらの回転中心が支点Ｄである）で連結されている。
また、上部基枠１７、２０の上面に突片１７ｂ、２０ｂが付設され、これら突片１７ｂ、２０ｂの軸受穴に、脚支持部補強枠６１Ｃに付設された一対の支軸が、それぞれ受承され、板状体６１の回転支点Ｂになっている。
さらに、上部基枠１７、２０の上面には、突片１７ｃ、２０ｃが付設され、突片１７ｃ、２０ｃに形成された外開きのスリットに、脚支持部補強枠６２Ｅ、６２Ｆに付設された支軸が、それぞれ水平方向に変位可能に係合し、こられの箇所が板状体６２の変位可能な傾動支点Ｂになっている。
横断方向の補強枠６１Ｆが補強枠６１Ｄ、６１Ｅに連結された箇所に、一対のリンク８０の一端部が回転自在に連結され、リンク８０、８０の他端部が、上半身支持部５０の内側端部５１に付設された突片５１ｂに回転自在に連結されている。これらリンクの連結関係によって、上半身支持部５０が傾動した時に、板状体６１の前端部が引き下げられ、または、押し上げられて、板状体６１が支点Ｂの周囲で傾動する（図１、図２、図３、図６）。この時、板状体６１と板状体６２とが一対のヒンジ６１で傾動自在に連結されているため、板状体６１が傾動すると、同時に板状体６２が支点Ｃを中心として傾動する。板状体６２が支点Ｃを中心として傾動する間、突片１７ｃ、２０ｃに形成されたスリット内で、板状体６２側の支軸が水平方向に変位する。
（５）駆動装置（７０）
駆動装置７０は、モータおよびギヤから成る駆動機構部分が一体に付設された外管７２と、外管７２内に嵌入した内管７３とを有する。モータ７１が作動すると、内外管の嵌入関係が変化して、内外管が伸縮することは、既に述べた。ここで、外管７２の端部が、上半身支持部５０の内側端部５１に付設された突片５１ａに回転自在に連結され、内管７３の端部が横断方向の基枠１８に付設された突片に回転自在に連結されている関係で、内外管が伸縮すると、上半身支持部５０が支点Ａの周囲で傾動する。また、同時に、上半身支持部５０の内側端部５１に付設された突片５１ｂに連結された一対のリンク８０を介して、脚支持部６０の板状体６１、６２が傾動する。
（６）マッサージ具（５４）
マッサージ具５４のねじ棒５３を回転させると、マッサージ具５４が上下動することについては、先に述べた。ねじ棒５３の回転は、モータ５７によって行なわれる。モータ５７の回転軸に付されたプーリと、ねじ棒５３の端部に付されたプーリとの間に駆動ベルトが架け渡されており、これによってねじ棒５３の回転が行なわれる（図４参照）。
以上、長椅子の１０の構成について説明したが、その駆動源であるモータ５６、５７、７１は、上半身支持部５０の下に配置されたリールに巻回された導電線を引き出して（図３参照）、外部電源に接続することによって作動するようになっている。また、各モータの作動は、背もたれ部４０に付設された操作盤４１の各操作ボタンを操作することによって、行なわれる。各モータは、任意に起動、停止可能であり、各操作ボタンの操作によって、上半身支持部５０の傾斜角、およびマッサージ具５４の上昇、下降位置を適宜調節設定できる。
【産業上の利用可能性】  本発明の長椅子は、本来の使用形態である少なくとも２人がけのできる椅子と、マッサージ装置とに使い分け可能である。
【図１】
2004032819.tif 000003
【図２】
2004032819.tif 000004
【図３】
2004032819.tif 000005
【図４】
2004032819.tif 000006
【図５】
2004032819.tif 000007
【図６】
2004032819.tif 000008
【図７】
2004032819.tif 000009
【手続補正書】
【提出日】平成14年12月26日(2002.12.26)
【手続補正００１】
【補正対象書類名】特許請求の範囲
【補正対象項目名】特許請求の範囲
【補正方法】変更
【補正の内容】
【特許請求の範囲】
【請求項１】
（補正後）背もたれを有する長椅子の着座部にマッサージ装置が内蔵され、
該マッサージ装置は、前記着座部の長手方向に延在し、利用者が前記着座部の長手方向に沿って寝た状態で、上半身を支える上半身支持部と、脚を支える脚支持部とを有し、
前記上半身支持部は、前記着座部の長手方向概略中央部に位置する支点を中心として、水平姿勢と、外端部側が上昇した傾斜姿勢との間で、選択的に傾動するように構成されるとともに、利用者の上半身をマッサージする電動式マッサージ機構を具備している背もたれを有するマッサージ機能付き長椅子。
【請求項２】
（補正後）前記脚支持部は、前記上半身支持部の傾動と連動し、前記上半身支持部の水平姿勢と整合する水平姿勢と、前記上半身支持部の傾斜姿勢に対応して前記脚支持部の長手方向概略中央部が高くなった傾斜形状姿勢との間で傾動するように構成されている請求項１に記載された背もたれを有するマッサージ機能付き長椅子。
【請求項３】
（補正後）前記上半身支持部は、前記脚支持部に隣接する側の端部および長椅子の基枠に対して両端部の各々が傾動自在に連結された電動式駆動装置の伸縮によって、前記基枠に設けた前記支点を中心として、水平姿勢と、外端部側が上昇した傾斜姿勢との間で、傾動するように構成されている請求項１に記載された背もたれを有するマッサージ機能付き長椅子。
【請求項４】
（補正後）前記上半身支持部の前記脚支持部に隣接する側の端部と、前記脚支持部の前記上半身支持部の前記脚支持部に隣接する側の端部とが、リンク部材で互いに連結され、前記上半身支持部を駆動することにより、前記脚支持部が連動して、水平姿勢と傾斜姿勢との間で動くように構成されている請求項１から請求項３までのいずれか１項に記載された背もたれを有するマッサージ機能付き長椅子。
【手続補正書】
【提出日】平成17年5月13日(2005.5.13)
【手続補正１】
【補正対象書類名】明細書
【補正対象項目名】全文
【補正方法】変更
【補正の内容】
【書類名】明細書
【特許請求の範囲】
【請求項１】  背もたれを有する長椅子の着座部にマッサージ装置が内蔵され、
該マッサージ装置は、前記着座部の長手方向に延在し、利用者が前記着座部の長手方向に沿って寝た状態で、上半身を支える上半身支持部と、脚を支える脚支持部とを有し、
前記上半身支持部は、前記着座部の長手方向概略中央部に位置する支点を中心として、水平姿勢と、外端部側が上昇した傾斜姿勢との間で、選択的に傾動するように構成されるとともに、利用者の上半身をマッサージする電動式マッサージ機構を具備しているマッサージ機能付き長椅子。
【請求項２】  前記脚支持部は、前記上半身支持部の傾動と連動し、前記上半身支持部の水平姿勢と整合する水平姿勢と、前記上半身支持部の傾斜姿勢に対応して前記脚支持部の長手方向概略中央部が高くなった傾斜形状姿勢との間で傾動するように構成されている請求項１に記載されたマッサージ機能付き長椅子。
【請求項３】  前記上半身支持部は、前記脚支持部に隣接する側の端部および長椅子の基枠に対して両端部の各々が傾動自在に連結された電動式駆動装置の伸縮によって、前記基枠に設けた前記支点を中心として、水平姿勢と、外端部側が上昇した傾斜姿勢との間で、傾動するように構成されている請求項１に記載されたマッサージ機能付き長椅子。
【請求項４】  前記上半身支持部の前記脚支持部に隣接する側の端部と、前記脚支持部の前記上半身支持部の前記脚支持部に隣接する側の端部とが、リンク部材で互いに連結され、前記上半身支持部を駆動することにより、前記脚支持部が連動して、水平姿勢と傾斜姿勢との間で動くように構成されている請求項１から請求項３までのいずれか１項に記載されたマッサージ機能付き長椅子。
【発明の詳細な説明】
【０００１】
（技術分野）
本発明は、マッサージ機能付き長椅子に関するものである。
【０００２】
（背景技術）
人体の背中をマッサージするための自動マッサージ機としては、（１）椅子の背もたれ部にマッサージ機構を内蔵させたもの、（２）椅子の背もたれ部にマッサージ機構を内蔵させるとともに、リクライニング機構により、背もたれ部が後方に傾斜し、脚支持部が持ち上がるようになったもの、および（３）水平ベッド形態のマットレス部分にマッサージ機構を内蔵させたものがある。
これら従来の自動マッサージ機はサイズが大きく、大きな設置用床面積を必要とするため、とりわけ狭隘な住宅の居間に、通常の長椅子または肘付き椅子と共に自動マッサージ機を配置すると、余裕空間が不足することになるだろう。
【０００３】
（発明の開示）
かくして、本発明の目的は、住宅の居間が狭隘であっても利用し易い人体の背中をマッサージするための自動マッサージ機を提供することである。
【０００４】
前記目的は、背もたれを有する長椅子の着座部にマッサージ装置が内蔵され、該マッサージ装置が、着座部の長手方向に延在し、利用者が前記着座部の長手方向に沿って寝た状態で、上半身を支える上半身支持部と、脚を支える脚支持部とを有し、上半身支持部は、着座部の長手方向概略中央部に位置する支点を中心として、水平姿勢と、外端部側が上昇した傾斜姿勢との間で、選択的に傾動するように構成されるとともに、利用者の上半身をマッサージする電動式マッサージ機構を具備しているマッサージ機能付き長椅子を提供することによって達成される。
【０００５】
前記長椅子の好適形態は、以下のとおりである。
（１）脚支持部が、上半身支持部の傾動と連動し、上半身支持部の水平姿勢と整合する水平姿勢と、上半身支持部の傾斜姿勢に対応して脚支持部の長手方向概略中央部が高くなった傾斜形状姿勢との間で傾動するように構成された長椅子。
（２）上半身支持部が、脚支持部に隣接する側の端部および長椅子の基枠に対して両端部の各々が傾動自在に連結された駆動装置の伸縮によって、基枠に設けた前記支点を中心として、水平姿勢と、外端部側が上昇した傾斜姿勢との間で、傾動するように構成された長椅子。この駆動装置としては、利用可能な汎用装置が存在する。その好適例が、特開平７−２８４５１３号公報に開示されている。開示された装置は、出没可能に遊嵌状態で嵌合する内外管と、外管に対して相対的に内管を動かすためのモータとを具備する。内管の駆動は、内管に外嵌されたウォームホイールの回転によって行なわれる。内管の外周には雄ねじが形成され、この雄ねじに噛合する雌ねじをウォームホイールが有する。また、外管にギヤケースおよびモータが一体的に取着され、モータの回転軸（回転軸の軸線は、内外管の軸線に対して直角である）に取着されたウォームギヤがウォームホイールの外周に形成された歯に噛合している。かかる構成で、モータの回転軸が順逆回転すると、ウォームギヤとウォームホイールとの噛合関係でウォームホイールが回転し、ウォームホイールと内管との噛合関係で内管が軸線方向に動き、内管が外管から延び出し、また、内管が外管内に戻る。
（３）上半身支持部の脚支持部に隣接する側の端部と、脚支持部の上半身支持部の脚支持部に隣接する側の端部とが、リンク部材で互いに連結され、上半身支持部を駆動することにより、脚支持部が連動して、水平姿勢と傾斜姿勢との間で動くように構成された長椅子。
【０００６】
本発明の長椅子は、本来の使用形態である少なくとも２人がけのできる椅子と、マッサージ装置とに使い分け可能である。したがって、狭隘な住宅の居間であっても、本発明の長椅子を余裕空間を確保しながら設置し、これをマッサージ装置として使用することにより、長椅子とマッサージ機とを併置する場合に比して、経費節減と、省スペースとを実現できる。
【０００７】
本発明の長椅子をマッサージ機として使用する場合には、マッサージ装置を内蔵する着座部の長手方向長さの半分を背もたれとして使用し、残る半分を足載せ部として使用する。着座部の背もたれ部分である上半身支持部は、着座部の長手方向概略中央部に位置する支点を中心として、水平姿勢から、外端部側が上昇した傾斜姿勢に動かし、また、その逆向きに動かすこともできる。上半身支持部に利用者の上半身をマッサージする電動式マッサージ機構が内蔵されており、利用者は、上半身支持部に背中をあてがい、公知の電動式マッサージ機構を作動させて、脊柱近傍のマッサージを行なうことができる。電動式マッサージ機構の好適例は、マッサージ具が脊柱に沿って上下動する形式のものである。
【０００８】
本発明の好適形態としての前記項目３の構成によれば、上半身支持部の脚支持部に隣接する側の端部と、脚支持部の上半身支持部の脚支持部に隣接する側の端部とが、リンク部材で互いに連結され、上半身支持部を駆動することにより、脚支持部が連動して、水平姿勢と傾斜姿勢との間で動くようになっているため、上半身支持部を傾斜姿勢に動かすと、脚支持部が、その長手方向概略中央部が高くなった傾斜形状姿勢になり、利用者は、屈曲したその形状に沿って脚部を載せる。この状態で、上半身支持部側に位置する脚支持部半体によって利用者の臀部が支えられ、電動式マッサージ機構を作動させた時に利用者に作用する力に対して、利用者の身体が位置ずれすることなく定位置に保たれる。
【０００９】
また、本発明の長椅子では、椅子として使用する通常状態で、上半身支持部に座面となるクッション部材を置いておき、マッサージ装置を使用する時に、クッション部材を取り除けて、使用することになる。
【００１０】
以下、図面を参照しながら、本発明の具体例について説明する。
（発明を実施するための最良の形態）
（発明原理の説明）
具体例を説明する前に、先ず、図１、図２を見ながら本発明の原理について説明する。
長椅子１０は、基枠１１〜１９を強度部材として構成され、着座部３０と、背もたれ部４０とを有する。着座部３０は、マッサージ装置を内蔵しており、上半身支持部５０と、脚支持部６０の板状体６１、６２とを有する。
【００１１】
上半身支持部５０は、比較的厚さの大きな部材であり、その上面側に長手方向に沿う凹所５２を有し、凹所５２内に公知のマッサージ具５４が配設されている。また、上半身支持部５０は、その内側端部５１（脚支持部６０の板状体６１に近い側の端部）に近い位置にある支点Ａ、Ａで、回転自在に長手方向の基枠１７、２０に支持されるとともに、内側端部５１と、基枠１７、２０に対して横断方向に延在する基枠１８との間に介装された駆動装置７０を介して基枠１８に支持されている。
【００１２】
脚支持部６０の板状体６１、６２は、それぞれ、十分な大きな機械的強度を有する矩形板状体であって、上半身支持部５０に隣接する板状体６１が、支点Ｂ、Ｂで回転自在に基枠１７に支持されている。板状体６２は、位置Ｄ、Ｄで傾動自在に板状体６１に連結されるとともに、支点Ｃ、Ｃで傾動自在かつ着座部の長手方向に変位可能に基枠に支持されている。
【００１３】
なお、図示していないが、上半身支持部５０は、十分大きな引張り強度を有する布製表皮で凹所５２をも覆って包み込まれ、マッサージ装置を使用しない状態では、クッション部材Ｑ１が上半身支持部５０の上に取り除き自在に載置される。同じく図示していないが、脚支持部６０の板状体６１、６２は、比較的厚さの大きな板状体であり、十分な引張り強度を有する布製表皮で包み込まれ、また、クッション部材Ｑ２が板状体６２の上に載置される。なお、図３において、Ｑ３は、クッション部材Ｑ１上に単に載置された肘置きクッションである。
【００１４】
駆動装置７０は、前記項目２で説明した特開平７−２８４５１３号公報に開示された形式のものであり、モータ７１を含み、ウォームホイールとウォームギヤの噛合関係で、互いに嵌合する内外管が伸縮する。すなわち、内管が外管に対して外部に延び出すと、上半身支持部５０の内側端部５１が押されて、支点Ａ、Ａの周囲で上半身支持部５０が回転して傾斜姿勢で立ち上がる。内管が外管内に進入すると、上半身支持部５０の内側端部５１が引っ張られて、支点Ａ、Ａの周囲で上半身支持部５０が回転して水平姿勢に戻る。
【００１５】
一方、上半身支持部５０の内側端部５１と、脚支持部６０の板状体６１の端部とが一対のリンク８０で連結されている。そのため、モータ７１の作動によって上半身支持部５０が支点Ａ、Ａの周囲で回転すると、脚支持部６０の板状体６１、６２が、両者の中央部で高くなった傾斜姿勢と、水平姿勢との間で動くことになる。このようにして、上半身支持部５０と脚支持部６０の板状体６１、６２が傾斜姿勢になった状態が図２に示されている。
【００１６】
さらに、図１および図２を見比べると、図２では、背もたれ部４０の姿勢が変化している。通常の場合に、図１に示す状態にある背もたれ部４０を、基枠２１と、背もたれ部４０との間に設けたヒンジ４４を利用して持ち上げ、角度９０度だけ回転させると、背もたれ部４０が、上半身支持部５０と脚支持部６０の板状体６１、６２の傾動を妨害しない図２に示した退避姿勢になる。この退避姿勢になった背もたれ部４０の内側面にマッサージ装置の操作盤４１が付されている。
【００１７】
図２の状態で、マッサージ装置を起動することにより、図示されないモータによってねじ棒５３を回転させることができ、それによってマッサージ具５４が上下動する。マッサージ具５４は、一対の円盤状作動子５５のマッサージ運動をさせるためのモータ５６と一体のユニットとして構成された汎用品である。
【００１８】
（長椅子の具体例）
図３〜図７に示される長椅子１０の基本構成は、図１、図２に示される長椅子１０と同じであり、同等の構成部材には、同一符号を付している。また、反復説明を避けるために、図３〜図７に示される長椅子１０については、図１、図２に示される長椅子で説明されていない構造上の細目について説明する。また、必要に応じて図１、図２をも引用して説明を行なう。
【００１９】
（１）基枠
基枠は、４つの脚座２２を備える長椅子１０の不動の強度部材である。可動体の枠部材は、補強枠と称することにする。基枠は、図１、図２に示された下部基枠１１、１２、１３、１４、長手方向基枠１５、１５、１６（一方の基枠１６は図示されていない）、１９、１９、および、上部基枠１７、２０、２１から成る。長椅子の長手方向に延在する上部基枠１７、２０からそれぞれ垂下する部材（１８ａのみが図示されており、上部基枠２０から垂下する部材は図示されていない）を、横断基枠１８が連結している。この横断基枠１８に、駆動装置７０の一端が傾動自在に連結され、他端が、上半身支持部５０の内側端部５１に付された突片５１ａに傾動自在に連結されている。駆動装置７０は、先に説明したとおり、モータ７１と、外管７２と、外管７２内に出没可能に嵌入している内管７３とを含み、内管７３の外端部が横断基枠１８に連結され、外管７２の外端部が上半身支持部５０の内側端部５１に付された突片５１ａに連結されている。
【００２０】
（２）背もたれ（４０）
背もたれ４０は、その長手方向に沿う背もたれ補強枠４２を有し、背もたれ補強枠４２から伸長する４つの分岐片４３が、それぞれヒンジ４４を介して上部基枠２１（図２）に連結されている。このヒンジ４４を介した連結関係により、背もたれ４０は、図１、図２、図３、図５、図６に示されるように、背もたれ４０の本来の機能として使用される水平姿勢（図１、図３、図５）と、マッサージ装置として使用する際の退避姿勢（図２、図６）との間で角度９０度だけ回転させることができる。背もたれ４０を、図５に示される水平姿勢から、上方に持ち上げた起立姿勢（または、退避姿勢）（図５における仮想線参照）にした場合、分岐片４３の先端部４３ａがヒンジ４４の位置よりも外方に伸長しているため、この先端部４３ａが基枠１９側の外表面（ヒンジ４４部分）に当接するストッパー部材として働き、背もたれ４０の安定した退避姿勢を維持できる（図２、図７参照）。
【００２１】
（３）上半身支持部（５０）
上半身支持部５０は、上半身支持補強枠５０Ａ〜５０Ｆを有する（図３、図４、図６参照）。上半身支持補強枠５０Ａ〜５０Ｄは、全体として矩形をなし、外枠が、長手方向に延在する補強枠５０Ａ、５０Ｂ、および横断方向に延在する補強枠５０Ｃ、５０Ｄから成る。補強枠５０Ｅ、５０Ｆは内枠であり、補強枠５０Ａ、５０Ｂに近い位置で、これらと平行に延在し、横断方向補強枠５０Ｃ、５０Ｄを互いに連結する形態に構成されている。上半身支持部５０の胴部材は、上半身支持補強枠５０Ａ〜５０Ｆによって支持される。
一方、長手方向に延在する上部基枠１７、２０の中央に近い位置で、それら基枠の上面に突片１７ａ、２０ａが付設され、これら突片１７ａ、２０ａの軸受穴に上半身支持補強枠５０Ａ、５０Ｂの下面に付設された軸付き突片の軸が、それぞれ受承され、上半身支持部５０の回転支点Ａになっている。
また、上半身支持部５０は、その内側端部５１に突片５１ａが付設され（図３参照）、この突片５１ａに、駆動装置７０の外管７２の端部が回転自在に連結されている。この連結関係で、上半身支持部５０の内側端部５１が、駆動装置７０の外管７２によって押されると、突片５１ａと外管７２の連結点が、上半身支持部５０の回転支点Ａから離れているため、これら両点間の距離が、回転モーメントの腕長さとして上半身支持部５０が支点Ａの周囲で回転し、傾斜姿勢で立ち上がる。すなわち、駆動装置７０の外管７２と内管７３の嵌合関係で、両管が伸縮すると、上半身支持部５０が支点Ａの周囲で回転し、水平姿勢と、傾斜姿勢との間で傾動する。
上半身支持部５０の内側端部５１には、突片５１ａの他に、一対の突片５１ｂも付設されている（図３参照）。これら突片５１ｂに、リンク８０ａ、８０ａの各端部が回転自在に連結されている。
【００２２】
（４）脚支持部（６０）
脚支持部６０は、板状体６１、６２の各々について、補強枠を有する（図３、図４、図６参照）。
板状体６１の胴部材は、脚支持部補強枠６１Ａ〜６１Ｈで補強されている。外枠である脚支持部補強枠６１Ａ、６１Ｂ、６１Ｃは、全体としてＵ字形をなし、長手方向に延在する補強枠６１Ａ、６１Ｂ、および横断方向に延在する補強枠６１Ｃから成る。補強枠６１Ｃからは、補強枠６１Ｄ、６１Ｅが長手方向に伸長し、さらに補強枠６１Ｄ、６１Ｅの先端部が横断方向の補強枠６１Ｆで連結されている。また、補強枠６１Ａ、６１Ｄが横断方向補強枠６１Ｇで連結されている。さらに、補強枠６１Ｂ、６１Ｅが補強枠６１Ｈで連結されている。
板状体６２の胴部材は、脚支持部補強枠６２Ａ〜６２Ｆで補強されている。これらは全体として矩形をなし、長手方向に延在する補強枠６２Ａ、６２Ｂ、および横断方向に延在する補強枠６２Ｃ、６２Ｄから成る。補強枠６２Ｅ、６２Ｆは、補強枠６２Ａ、６２Ｂに近い位置で、補強枠６２Ｃと補強枠６２Ｄを連結する部材である。
板状体６１の脚支持部補強枠６１Ｃと、板状体６２の脚支持部補強枠６２Ｃとは、小間隔を置いて隔てられ、両者が、一対のヒンジ６３（これらの回転中心が支点Ｄである）で連結されている。
また、上部基枠１７、２０の上面に突片１７ｂ、２０ｂが付設され、これら突片１７ｂ、２０ｂの軸受穴に、脚支持部補強枠６１Ｃに付設された一対の支軸が、それぞれ受承され、板状体６１の回転支点Ｂになっている。
さらに、上部基枠１７、２０の上面には、突片１７ｃ、２０ｃが付設され、突片１７ｃ、２０ｃに形成された外開きのスリットに、脚支持部補強枠６２Ｅ、６２Ｆに付設された支軸が、それぞれ水平方向に変位可能に係合し、こられの箇所が板状体６２の変位可能な傾動支点Ｂになっている。
横断方向の補強枠６１Ｆが補強枠６１Ｄ、６１Ｅに連結された箇所に、一対のリンク８０の一端部が回転自在に連結され、リンク８０、８０の他端部が、上半身支持部５０の内側端部５１に付設された突片５１ｂに回転自在に連結されている。これらリンクの連結関係によって、上半身支持部５０が傾動した時に、板状体６１の前端部が引き下げられ、または、押し上げられて、板状体６１が支点Ｂの周囲で傾動する（図１、図２、図３、図６）。この時、板状体６１と板状体６２とが一対のヒンジ６１で傾動自在に連結されているため、板状体６１が傾動すると、同時に板状体６２が支点Ｃを中心として傾動する。板状体６２が支点Ｃを中心として傾動する間、突片１７ｃ、２０ｃに形成されたスリット内で、板状体６２側の支軸が水平方向に変位する。
【００２３】
（５）駆動装置（７０）
駆動装置７０は、モータおよびギヤから成る駆動機構部分が一体に付設された外管７２と、外管７２内に嵌入した内管７３とを有する。モータ７１が作動すると、内外管の嵌入関係が変化して、内外管が伸縮することは、既に述べた。ここで、外管７２の端部が、上半身支持部５０の内側端部５１に付設された突片５１ａに回転自在に連結され、内管７３の端部が横断方向の基枠１８に付設された突片に回転自在に連結されている関係で、内外管が伸縮すると、上半身支持部５０が支点Ａの周囲で傾動する。また、同時に、上半身支持部５０の内側端部５１に付設された突片５１ｂに連結された一対のリンク８０を介して、脚支持部６０の板状体６１、６２が傾動する。
【００２４】
（６）マッサージ具（５４）
マッサージ具５４のねじ棒５３を回転させると、マッサージ具５４が上下動することについては、先に述べた。ねじ棒５３の回転は、モータ５７によって行なわれる。モータ５７の回転軸に付されたプーリと、ねじ棒５３の端部に付されたプーリとの間に駆動ベルトが架け渡されており、これによってねじ棒５３の回転が行なわれる（図４参照）。
【００２５】
以上、長椅子の１０の構成について説明したが、その駆動源であるモータ５６、５７、７１は、上半身支持部５０の下に配置されたリールに巻回された導電線を引き出して（図３参照）、外部電源に接続することによって作動するようになっている。また、各モータの作動は、背もたれ部４０に付設された操作盤４１の各操作ボタンを操作することによって、行なわれる。各モータは、任意に起動、停止可能であり、各操作ボタンの操作によって、上半身支持部５０の傾斜角、およびマッサージ具５４の上昇、下降位置を適宜調節設定できる。
【００２６】
（産業上の利用可能性）
本発明の長椅子は、本来の使用形態である少なくとも２人がけのできる椅子と、マッサージ装置とに使い分け可能である。
【図面の簡単な説明】
【図１】
本発明の原理を説明するための長椅子の模式的斜視図である。
【図２】
図１に示した長椅子の異なる状態を示す模式的斜視図である。
【図３】
本発明の一具体例としての長椅子の正面図であり、着座部が水平状態になっている。
【図４】
図３に示した長椅子の平面図である。
【図５】
図３におけるＶ−Ｖ線矢視図である。
【図６】
図３に対応する本発明の一具体例としての長椅子の正面図であり、着座部が傾斜状態になっており、マッサージ装置を使用可能である。
【図７】
図６に示した長椅子を図６における右側から見た図である。
【国際調査報告】
2004032819.tif 000010
2004032819.tif 000011
2004032819.tif 000012
2004032819.tif 000013